(57)【特許請求の範囲】
【請求項１】
硬質で耐水性材料を使用し、ヒンジ（３）を介して開閉可能なふた（２）を有するケース（１）であって、そのラップフィルム引出口（Ｐ）近くの側壁に、任意の間隔をあけてノコ歯状刃（７）を突設し、該ノコ歯状刃（７）と咬合する表面が光沢で断面が逆Ｕ字形押圧具（５）を、該ふた（２）の先端部に設けてなるケース（１）において、
前記側壁の端部にストッパー（６）を配し、該ストッパー（６）の先端上面上で、該ふた（２）を閉じた場合に引き出されているラップフィルムが該ふた（２）で押し付けられることとなる位置であって、該ふた（２）を開いて該ラップフィルム（９）を引き出した場合に該ラップフィルム（９）の裏面が接触することとなる位置に、該ラップフィルム（９）と帯電列の順位に格差のある柔軟で復元力のある材質で植毛状に構成した摩擦帯電発生材（８）を配したことを特徴とするラップフィルムケース。
【発明の詳細な説明】
【０００１】
【発明の属する技術分野】
この発明は，食品包装用ラップフィルムのケースに関する。
【０００２】
【従来の技術】
従来のラップフィルムは，使い捨てノコ歯付き紙箱に入れられていた。
【０００３】
【発明が解決しようとする課題】
従来のラップフィルムを使おうとする時，先端部をつかんで引き出し，紙箱に付属のノコ歯で切り離していたが，切り離した途端に自己貼着を起こしてまつわりついて広がらず，きれいにラッピングできないことがしばしばあった。また，引き出そうとしたとき，先端部がいつの間にか巻き戻っていたりして，それを探し出すのに苦労することがあった。
【０００４】
このまつわりつきと巻き戻り現象は，はく離帯電と言う静電気のイタズラによるものであり，今までにこの防止策はなされていなかった。また，小皿とか小口のビンに使うため少量だけ切り離したくても，付属のノコ歯での切断は困難であり不経済であった。つまり指先でつかんで引き裂くようにして切り離すので，どうしても必要量以上につかまざるを得なかったためである。この外に従来の使い捨てノコ歯付き紙箱には，もっと大きな欠点があった。それは紙箱を作るために，大切な森林を伐採して原料にしていることであり，使い終ったらゴミとしてポイポイ捨てられていることである。今や環境を破壊するゴミの問題は深刻な状況にあり，金で解決できるものでなく，処理能力が限界に達していてどうしようもない事態に直面していると言うことである。
【０００５】
既に使い捨ての時代は過ぎ去っており，限りある天然資源を大切にするとともに，増え続けるゴミを少しでも減らす心掛けが大切であり義務とも思う。そこでゴミを減らすのに最も効果的なのは，何と言ってもゴミとなる元を断つことである。
【０００６】
本発明は，従来技術の有するこのような問題に鑑みなされたものであり，ゴミとなる使い捨てノコ歯付き紙箱の製造と使用をやめて，繰返し何回でも使用できるケースにすることであり，ラップフィルムは詰め替えて使うことを提案するものである。そして巻き戻りもせず，切り離しても自己貼着しにくいようにするとともに，少量でも容易に切り離せるようにして，経済的にも優れたラップフィルムケースを提供することを目的としている。
【０００７】
【課題を解決するための手段】
上記目的を達成するために，本発明のラップフィルムケースは，従来の紙箱と言う既成概念を払拭し，硬質で耐水性の材料で形成するものとし，ヒンジ３を介して開閉可能なふた２とケース１を組み合わせて箱状の容器とし，ラップフィルム引出口Ｐの近傍に摩擦帯電発生材８を装備する。そしてケース１の側壁より任意の間隔をあけた位置にノコ歯状刃７を突設し，ふた２の先端部には，表面が光沢で断面が逆Ｕ字形押圧具５を備えて，ふた２を閉じるとノコ歯状刃７と咬合するようにしたものである。
【０００８】
【発明の実施の形態】
上記したように構成したラップフィルムケースの使い方は，最初にラップフィルムロール９’を入れてから引き出すが，引き出す過程で，初めははく離帯電を起こしたラップフィルム９が，摩擦帯電発生材８に接触しながら引き出される結果，はく離帯電が打ち消され，摩擦帯電に切り替わる。
切るときは，ふた２を指先で押して閉じればよいが，このときラップフィルム９は，逆Ｕ字形押圧具５に架橋状態に貼り着き，張力が掛っているので，ノコ歯状刃７が当たって咬合すると同時に切断される。したがって引き裂くのではないから，狭い幅にでも容易に切り離すことができる。
【０００９】
切り離した直後に生ずる自己貼着（まつわりつき）と巻き戻り現象は，密着して捲回されているラップフィルム９が電気的に安定している状態にあるとき，突然はがされると起こるはく離帯電と言う静電気によるものであるが，これを短時間で消去するには，これと反対の現象を呈する摩擦帯電を起こさせることである。摩擦帯電を起こしたラップフィルム９同志は，しばらくの間，反発し合って自己貼着をしないばかりか，他の物体に対して吸引作用が働く性質があり，食器類に近づけると，手を掛けずとも自分で勝手に貼りついて行き，好都合に作用するのでラッピングしやすくなるなど付加価値を一層高める結果となっている。
【００１０】
摩擦帯電発生材８は，ラップフィルム９と異なる材質であれば何でもよいが，帯電列の順位の格差が大きければ大きいほどその効果も大きい。
また，形態は柔かい植毛状をしたものが好ましく，取り付けるに際しては，ラップフィルム９を引き出す過程で自然に発生する位置がよい。そして幅全体の表面をムラなく均等に摩擦しながら引き出せるのが理想であり，その点従来の紙箱のように，つかむと簡単に変形するような腰の弱いものに付けても効果は期待できない。
【００１１】
そこで，あえて変形の少ない硬質の材料であることを必要条件とし，更に繰返し何回でも使うためには洗浄も考慮する必要があり，耐水性であることも付加することとなった。
したがって材料としては，軽くてじん性があり，半永久的に使えてリサイクルに適した例えば，合成樹脂とか地球環境に優しい生分解性プラスチック等が好ましい。
【００１２】
【実施例】
実施例について図面を参照して説明する。最初に材質であるが，ケース１，ふた２，ヒンジ３，ガード４，逆Ｕ字形押圧具５，ストッパー６は硬質で軽くて強じんで，屈曲を繰返しても疲労しにくい合成樹脂などを使い，あらかじめ用意したノコ歯状刃７を埋込んで，一体で射出成形する。
ノコ歯状刃７は長期間の使用に耐え得るステンレスなどで作るとよい。また，摩擦帯電発生材８は，柔軟で復元力のある綿毛のような密度の高い植毛状をしていて，ラップフィルム９以外の材質のものを選定し，接着剤等で貼り付けてもよい。
【００１３】
図１は，ラップフィルムロール９’を入れてふた２を閉じた略正面図であり，その断面は図２に示すとおりである。この図は，普段使われていないときの状態であり，ロック機構（図示せず）でロックされている。図２でも分かるように，ラップフィルム９は摩擦帯電発生材８の上面を覆っていて，それをふた２が押し付けているから，その摩擦力で簡単に巻き戻りするようなことはない。
【００１４】
ケース１，ふた２，ヒンジ３の長さは，ラップフィルムロール９’を入れて更に若干の余裕ある長さがあればよく，また，手指の保護をするためのガード４と，逆Ｕ字形押圧具５，ノコ歯状刃７もそれと同等の長さがあればよい。
【００１５】
ストッパー６と摩擦帯電発生材８の長さは，容器内の空間で機能を果たせるので，ケース１，ふた２の内法寸法未満で，ラップフィルム９の幅と同等かやや長目がよい。
ストッパー６はラップフィルム９を引き出し中に，ラップフィルムロール９’がころがり出ぬようにするために設けたものであるが，射出成形時に一体化できないときは，あとから接着剤等で貼着しても同様の機能は得られる。
【００１６】
図３は，ロック機構（図示せず）を解除して，ヒンジ３の弾性復元力でふた２が開き，ラップフィルムロール９’からはがされたラップフィルム９が摩擦帯電発生材８の表面でこすられながら引き出されている状態を示したもので，こうして摩擦帯電を起こしたラップフィルム９は，手元に引き出されるのである。
【００１７】
図４は，ラップフィルム９を切る寸前の態様を示したものであり，ケース１の下面とふた２の上面に手指を当ててつかんで切る。手指の力を抜くと再び図３のような形態に戻り，ロック（図示せず）を掛けると図２の形態となる。
ラップフィルムロール９’の詰め替えは，ふた２をもう少し開かせ，ストッパー６も逆方向にそり返してから押し込めばよい。手指の力を抜くと，素材のもつ弾性復元力で図３に示す元の形態に戻る。
【００１８】
【発明の効果】
本発明は，以上説明したように構成されているので，以下に記載されるような効果を奏する。
（１）  美しい緑の森林資源を大切にすることができる。
使い捨てノコ歯付き紙箱の原料は再生紙であろうが，この製造と使用をやめることにより，間接的に森林の伐採が減らせて，緑の育成と保護が期待できる。
（２）  今や環境を破壊するゴミの問題は深刻であり，ゴミを減らせる。
概略試算であるが，全国４３００万世帯で月１本使用したら，年間で５億本を超える。これを２トン積じんあい車に換算したら７万台分に相当するゴミが減る。
（３）  消費者は出費が減り，面倒なゴミ捨てから解放される。
使い終ったらすぐ捨てる紙箱は買わずに済むので出費が減るし，分別ゴミのため，金属ノコ歯の取り外しのわずらわしさから解放され，ゴミ処理費も減る。
（４）  ラッピング作業が非常に楽になる。
摩擦帯電したラップフィルムは，反発し合って自己貼着しにくくなると同時に，他の物体に対して吸引作用が働き，食器類に近づけると貼り付いて行き，非常にラッピングしやすくなる。
（５）  少量でも切り離すことができるので，無駄がなく経済的である。
従来は引き裂くように切り離すため，必要量以上に引き出さねばならなかったが，逆Ｕ字形押圧具に張力が掛って架橋状態に貼り付いているところに刃が当たるようにしたので，少量でも簡単に切断できるようになり経済的である。
（６）  巻き戻りを解消した。
使用しないときは，ラップフィルムの先端部が確実にふたで押し付けられている構造にしたので，巻き戻りの心配はなくなった。
【図面の簡単な説明】
【図１】本発明の略正面図
【図２】図１のＡ−Ａ断面に沿うふたを閉じた状態を示す断面拡大側面図
【図３】図１のＡ−Ａ断面に沿うふたを開けて使用中の断面拡大側面図
【図４】図１のＡ−Ａ断面に沿うラップフィルム切断寸前の断面拡大側面図
【符号の説明】
１  ケース
２  ふた
３  ヒンジ
４  ガード
５  逆Ｕ字形押圧具
６  ストッパー
７  ノコ歯状刃
８  摩擦帯電発生材
９  ラップフィルム
９’ラップフィルムロール
Ｐ  ラップフィルム引出口
【図１】
0004468505.tif 000002
【図２】
0004468505.tif 000003
【図３】
0004468505.tif 000004
【図４】
0004468505.tif 000005